(57)【要約】【課題】高速データ通信可能な第１の通信方式（ＥＶＤＯ）での発信機会を増やして高速データ通信を行うハイブリッド端末装置を提供する。【解決手段】ハイブリッド通信端末装置（携帯電話１０）は、データ通信が開始され、第１の通信方式による通信セッションが非確立状態のとき、記憶部７にＡＶＯＩＤシステムとして記憶された通信システムがあるか否かを判定し、ＡＶＯＩＤ通信システムがあれば、少なくともＡＶＯＩＤ通信システムでの第１の通信方式による発呼が可能か否かを確認し、可能であればＡＶＯＩＤ通信システムでの第１の通信方式による発呼を行い、可能でなければ第２の通信方式による発呼を行う制御部８を備え、構成される。【選択図】図１
2008252360.tif 000002
【特許請求の範囲】
【請求項１】
複数の通信システムに対応するとともに、高速通信可能な第１の通信方式と当該第１の通信方式よりも通信速度が低速な第２通信方式とのいずれをも使用可能な通信部と、
前記通信システムに関する情報を記憶する記憶部と、
前記複数の通信システムに対して前記通信部に捕捉試行させる捕捉試行処理と、
前記第１の通信方式にていずれの通信システムにおいてもセッションが確立されていない圏外と判定される状態のもと、前記第１の通信方式にていずれかの通信システムに捕捉成功してセッションを確立するまで、周期的に前記捕捉試行処理を行う圏内復帰処理と、
前記捕捉試行処理にて、所定の条件で捕捉失敗が生じた通信システムを前記記憶部に一時禁止システムとして記憶する一時禁止登録処理と、を実行可能な制御部と、を備え、
前記制御部は、前記第１の通信方式にて圏外と判定される状態のもと、データ通信の発呼が要求された際、前記記憶部に一時禁止登録された通信システムが有れば当該通信システムに対して前記通信部に捕捉試行させ、捕捉に成功すれば捕捉成功した通信システムにて第１の通信方式により前記通信部に発呼を行わせ、捕捉に失敗あるいは一時禁止登録された通信システムが無ければ前記通信部に第２の通信方式による発呼を行わせる
ことを特徴とするハイブリッド通信端末装置。
【請求項２】
前記制御部は、
前記記憶部に、捕捉に成功した通信システムを捕捉履歴として格納させ、一時禁止登録された通信システムに対して前記通信部に捕捉試行させる際、前記捕捉履歴にある通信システムを優先して捕捉試行させる
ことを特徴とする請求項１に記載のハイブリッド通信端末装置。
【請求項３】
前記記憶部は、予め前記複数の通信システムについての優先順位が記憶されており、
前記制御部は、一時禁止登録された通信システムに対して前記通信部に捕捉試行させる際、前記捕捉履歴にある通信システムに次いで、前記捕捉履歴に無い通信システムを前記優先順位に従って捕捉試行させる
ことを特徴とする請求項２に記載のハイブリッド通信端末装置。
【請求項４】
前記制御部は、一時禁止登録された通信システムの捕捉試行に続き、一時禁止登録されていない通信システムの捕捉試行を前記通信部に行わせる
ことを特徴とする請求項２または３に記載のハイブリッド通信端末装置。
【請求項５】
前記制御部は、前記記憶部に前記捕捉履歴を格納する際、通信システム毎に、捕捉に成功した時刻に関する情報を対応付けて格納し、前記捕捉試行処理を行う際、所定の時間を超えて格納された履歴については参照しない
ことを特徴とする請求項２から４のいずれか一項に記載のハイブリッド通信端末装置。
【発明の詳細な説明】
【技術分野】
【０００１】
本発明は、高速データ通信可能な第１の通信方式（例えばＥＶＤＯ）と、第１の通信方式とは一部送受信ブロックを共用する第２の通信方式（例えば、ＣＤＭＡ２０００ １ｘ）による通信が可能な、複数の通信システムに対応したハイブリッド通信端末装置に関するものである。
【背景技術】
【０００２】
近年、無線通信システムにおいて、使用する周波数帯の有効利用をはかるとともに、使用周波数を世界標準仕様に合わせるために周波数帯の再編が検討されている。例えば、ＣＤＭＡ２０００ １ｘ（Code Division Multiple Access 2000,1x；以降、単に１ｘと記す）使用の無線通信システムにおいて、現在、日本国内では、日本仕様の８００ＭＨｚ帯（以下、旧８００ＭＨｚ帯）が用いられているが、この周波数帯が世界標準仕様である新８００ＭＨｚ帯へ再編される予定である。
なお、旧８００ＭＨｚ帯と新８００ＭＨｚ帯とでは、使用する周波数帯のうち、上り、下りの周波数割り当て等が相違している。こうした背景から、現行の周波数帯（旧８００ＭＨｚ）、新たな周波数帯（新８００ＭＨｚ）、および高周波の周波数帯（２ＧＨｚ）での通信が可能なマルチバンド対応の通信端末装置が開発されている。
【０００３】
マルチバンド対応の通信端末装置は、基地局によって割当てられるチャンネルを介して当該基地局との間で無線通信を行う。このとき、通信端末装置は、複数の周波数帯で無線信号の送受信が可能であり、具体的には、現行の周波数帯（旧８００ＭＨｚ）、新たな周波数帯（新８００ＭＨｚ）、および高周波の周波数帯（２ＧＨｚ）を用いて無線信号の送受信が可能である。
上記したそれぞれ異なる周波数帯の通信システムには、基地局と通信端末装置間で周波数帯を識別するための識別番号として、３ＧＰＰ２で規定されたバンドクラスが付与されている。例えば、基地局から通信端末装置に通知される情報の中の近隣基地局リスト等において、通信端末装置の周辺に存在する通信システムを報知する等のためにこのバンドクラスが使用される。なお、現行の周波数帯（旧８００ＭＨｚ）はバンドクラス３、新たな周波数帯（新８００ＭＨｚ）はバンドクラス０、高周波の周波数帯（２ＧＨｚ）はバンドクラス６にそれぞれ分類されている。
【０００４】
上記した通信環境のもとで、従来、より高いデータレートを実現するために、通信プロトコルの一部が１ｘと共通化されたＥＶＤＯ（Evolution-Data Optimized/only）と呼ばれる通信方式により通信が可能なハイブリッド通信端末装置が知られている（例えば、特許文献１参照）。上記した各バンドクラスには、プライマリチャンネルとセカンダリチャンネルが割当てられ（但し、バンドクラス６のＥＶＤＯ通信においてはプライマリチャンネルのみ）、更に、通信プロトコルの違い（ＥＶＤＯ）を考慮すれば、合計で１１パターンの通信システムが存在することになる。
【０００５】
ＥＶＤＯはデータ通信のみの通信方式であるが、その通信速度は１ｘに比して非常に高速であり、結果的にトラフィックの占有時間が減少することにもなるため、Ｗｅｂ（World Wide Web）やメール送信などにおいて積極的に活用されることが好ましい。このため、ＥＶＤＯの優先度が１ｘよりも高く設定され、データ通信開始時はまずＥＶＤＯでの通信を試みる仕様となっている。
【特許文献１】特開２００５−２６０４２５号公報
【発明の開示】
【発明が解決しようとする課題】
【０００６】
ところで、ＥＶＤＯは、１ｘの拡張的なものであり、インフラ上のカバーエリアは１ｘよりも一般的に狭い。したがって、１ｘ圏外ではあってもＥＶＤＯ圏外であるエリアも多い。また一方では、ＥＶＤＯが圏外であっても、１ｘが圏内であれば（１ｘ待ち受け状態）にて、ＥＶＤＯ圏内への復帰を自動的に行う処理もＣＤＭＡ２０００−１ｘ通信端末装置は行う。
このＥＶＤＯ復帰処理を行うタイミングは、始めはＥＶＤＯ圏外移行後、数秒周期で行なわれる。ここで復帰できなかった場合には、電力消費を抑える意図もあって、徐々に周期を延長し、最終的には数分程度の間隔となる。すなわち、一度ＥＶＤＯ圏外へ移行し、その後もＥＶＤＯ圏外状態が継続した場合、数分間はＥＶＤＯへの復帰チャンスが無いこととなる。
しかし、端末の移動や置かれている環境によっては、実はＥＶＤＯ圏内に復帰できる環境に変化しているにもかかわらず、数分間は復帰処理が働かないためにＥＶＤＯ圏内に復帰できず、この期間はデータ通信の要求がユーザにより生じたとしてもせっかくの高速通信プロトコルであるＥＶＤＯが使用できず、１ｘでしか通信できないということも存在した。
ＥＶＤＯ圏内復帰の処理において、圏内復帰できなかった場合には、周期的に何度も同じ通信システムに対して捕捉試行に失敗することとなる。また、消費電力を抑えるためには圏内復帰処理においても効率化が求められる。具体的には、ＥＶＤＯにて何度も捕捉試行できなかった通信システムについては、ＡＶＯＩＤ（一定期間禁止状態）として記憶し、以降の圏内復帰処理においては一定期間の間、ＡＶＯＩＤシステムを除いて捕捉試行することとなる。なお、ＥＶＤＯに関しても使用できる通信システムは１ｘ同様複数の周波数があるため、ＡＶＯＩＤを通信システムごとに付すことが出来る。
【０００７】
以降、ハイブリッド通信端末装置は、待ち受け中、ＡＶＯＩＤが付された通信システム以外の通信システムについてのＥＶＤＯ使用可否を周期的に確認している。なお、ＡＶＯＩＤ状態は、所定時間経過すると自動的に解除されるようになっている。そして、いくつかの通信システムについてのＥＶＤＯがＡＶＯＩＤされた状態においてデータ発呼を行うと、事前にＡＶＯＩＤが付された通信システム以外のいずれかについてセッションが確立されているか否かを判定する。
【０００８】
そして、いざハイブリッド通信端末装置にてデータ発呼を行った際に、ＡＶＯＩＤが付された通信システム以外の通信システムの全てがＥＶＤＯ圏外であったときには、１ｘにてデータ発呼されることになる。しかしながら、実際にはＥＶＤＯの通信システム全てが圏外かどうかは分からない。
すなわち、ハイブリッド通信端末装置が置かれる環境は常に変化しているため、ＡＶＯＩＤされたとときの環境とは異なり、実際はＡＶＯＩＤされた通信システムについてはＥＶＤＯ圏内に復帰しているかもしれない。にもかかわらず、データレートの低い１ｘでデータ通信を行うことになって１ｘでの発信機会が増え、このためせっかくのＥＶＤＯでの発信機会が減ってしまうことになる。図７に、上記したＡＶＯＩＤ中のデータ発信処理の流れが示されている（基本的な処理の流れは、一部を除き本発明の実施の形態と同様であるため説明は重複を回避する意味で後述する）。
【０００９】
本発明は上記した課題を解決するためになされたものであり、ＥＶＤＯでの発信機会を増やして高速データ通信を行うハイブリッド端末装置を提供することを目的とする。
【課題を解決するための手段】
【００１０】
上記した課題を解決するために本発明のハイブリッド通信端末装置は、複数の通信システムに対応するとともに、高速通信可能な第１の通信方式と当該第１の通信方式よりも通信速度が低速な第２通信方式とのいずれをも使用可能な通信部と、前記通信システムに関する情報を記憶する記憶部と、前記複数の通信システムに対して前記通信部に捕捉試行させる捕捉試行処理と、前記第１の通信方式にていずれの通信システムにおいてもセッションが確立されていない圏外と判定される状態のもと、前記第１の通信方式にていずれかの通信システムに捕捉成功してセッションを確立するまで、周期的に前記捕捉試行処理を行う圏内復帰処理と、前記捕捉試行処理にて、所定の条件で捕捉失敗が生じた通信システムを前記記憶部に一時禁止システムとして記憶する一時禁止登録処理と、を実行可能な制御部と、を備え、前記制御部は、前記第１の通信方式にて圏外と判定される状態のもと、データ通信の発呼が要求された際、前記記憶部に一時禁止登録された通信システムが有れば当該通信システムに対して前記通信部に捕捉試行させ、捕捉に成功すれば捕捉成功した通信システムにて第１の通信方式により前記通信部に発呼を行わせ、捕捉に失敗あるいは一時禁止登録された通信システムが無ければ前記通信部に第２の通信方式による発呼を行わせるように構成したものである。
【００１１】
また、本発明のハイブリッド通信端末装置において、前記制御部は、前記記憶部に、捕捉に成功した通信システムを捕捉履歴として格納させ、一時禁止登録された通信システムに対して前記通信部に捕捉試行させる際、前記捕捉履歴にある通信システムを優先して捕捉試行させるように構成してもよい。
【００１２】
また、本発明のハイブリッド通信端末装置において、前記記憶部は、予め前記複数の通信システムについての優先順位が記憶されており、前記制御部は、一時禁止登録された通信システムに対して前記通信部に捕捉試行させる際、前記捕捉履歴にある通信システムに次いで、前記捕捉履歴に無い通信システムを前記優先順位に従って捕捉試行させるように構成してもよい。
【００１３】
また、本発明のハイブリッド通信端末装置において、前記制御部は、一時禁止登録された通信システムの捕捉試行に続き、一時禁止登録されていない通信システムの捕捉試行を前記通信部に行わせるように構成してもよい。
【００１４】
また、本発明のハイブリッド通信端末装置において、前記制御部は、前記記憶部に前記捕捉履歴を格納する際、通信システム毎に、捕捉に成功した時刻に関する情報を対応付けて格納し、前記捕捉試行処理を行う際、所定の時間を超えて格納された履歴については参照しないように構成してもよい。
【発明の効果】
【００１５】
本発明によれば、ＥＶＤＯでの発信機会を増やして高速データ通信を行うハイブリッド端末装置を提供することができる。
【発明を実施するための最良の形態】
【００１６】
図１は、本発明の実施の形態に係るハイブリッド通信端末装置の内部構成を示すブロック図である。ここでは、ハイブリッド通信端末装置として携帯電話１０が例示されている。
図１に示されるように、携帯電話１０は、不図示の基地局を含む網側装置とは通信網を介して接続され、複数の通信システムを捕捉可能であり、網側装置との間で捕捉した通信システムで所定のプロトコルにしたがい通信を行う。このため、携帯電話１０は、通信部１と、操作部２と、音声処理部３と、スピーカ（ＳＰ）４と、マイクロフォン（ＭＩＣ：以下、マイクという）５と、表示部６と、記憶部７と、制御部８とにより構成される。
【００１７】
通信部１は、複数の通信システムを捕捉し、ＣＤＭＡ２０００ １ｘやＥＶＤＯの通信プロトコルにしたがい、通信網に接続される不図示の基地局との間で無線通信を行う。なお、ＥＶＤＯ通信は、１ｘ通信よりも高速であり、１ｘ通信はＥＶＤＯ通信と異なり、データ通信の他に音声通信もサポートするといった特徴を有している。
【００１８】
操作部２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部８に入力する。
【００１９】
音声処理部３は、スピーカ４から出力される音声信号やマイク５を介して入力される音声信号の処理を行う。
すなわち、音声処理部３は、マイク５から入力される音声を増幅し、アナログ／デジタル変換を行い、更に符号化等の信号処理を施し、デジタルの音声データに変換して制御部８に出力する。
また、音声処理部３は、制御部８から供給される音声データに復号化、デジタル／アナログ変換、増幅等の信号処理を施し、アナログの音声信号に変換してスピーカに４出力する。
【００２０】
表示部６は、例えば、液晶表示パネルや有機ＥＬ（Electro-Luminescence）パネルなどの表示デバイスを用いて構成されており、制御部８から供給される映像信号に応じた画像を表示する。例えば、発信時における発信先の電話番号、着信時における着信相手の電話番号、受信メールや送信メールの内容、日付、時刻、電池残量、発信成否、待ち受け画面などの各種の情報や画像を表示する。
【００２１】
記憶部７は、制御部８において処理に利用される各種のデータを記憶する。例えば、制御部８に備わるプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。特に、本発明と関係するところでは、制御部８による捕捉試行の結果、当該捕捉に成功した通信システムを捕捉履歴として記憶する他、ＥＶＤＯ通信方式により通信システムの捕捉に失敗すると、当該捕捉に失敗した通信システムをＡＶＯＩＤ通信システムとして記憶する。
なお、上記した記憶部７は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２２】
制御部８は、携帯電話の全体的な動作を統括的に制御する。すなわち、携帯電話の各種の処理（回線交換網を介して行われる音声通話、電子メールの作成と送受信、インターネットのＷｅｂ（World Wide Web）サイトの閲覧など）が操作部２の操作に応じて適切な手順で実行されるように、上述した各ブロックの動作（通信部１における信号の送受信、音声処理部３における音声の入出力、表示部６における画像の表示など）を制御する。
制御部８は、記憶部７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部７に格納されるオペレーティングシステムやアプリケーションプログラム等のプログラムから命令コードを順次読み込んで処理を実行する。
【００２３】
制御部８はまた、通信部１に対し、ＥＶＤＯまたは１ｘに対応した通信システムを選択し、ＥＶＤＯまたは１ｘのプロトコルによる発呼を行わせる機能を有し、データ通信が開始されＥＶＤＯによる通信セッションが非確立状態のとき、記憶部７にＡＶＯＩＤシステムとして記憶された通信システムがあるか否かを判定し、ＡＶＯＩＤ通信システムがあれば、少なくともＡＶＯＩＤ通信システムでのＥＶＤＯによる発呼が可能か否かを確認し、可能であればＡＶＯＩＤ通信システムでのＥＶＤＯによる発呼を行い、可能でなければ１ｘによる発呼を行うように制御する。
制御部８は、その内部構成が機能展開され示されているように、パケットアプリ実行部８１と、呼処理部８２とにより構成される。
【００２４】
パケットアプリ実行部８１は、記憶部７に記憶されたるパケットアプリケーションプログラムを実行することにより、例えば、ユーザが操作部２を操作することによる発信操作を認識して呼処理部８２に引き渡し、また、呼処理部８２から発信の結果（捕捉成功、失敗）を取得して表示部６もしくは音声処理部３へ報知する機能を有する。
【００２５】
また、呼処理部８２は、パケットアプリ実行部８１により生成される発信要求に基づく呼処理を実行し、具体的には、通信部１に対しＥＶＤＯまたは１ｘに対応した通信システムを選択し、ＥＶＤＯまたは１ｘのプロトコルによる発呼を行わせる機能を有し、データ通信が開始されＥＶＤＯによる通信セッションが非確立状態のとき、記憶部７にＡＶＯＩＤシステムとして記憶された通信システムがあるか否かを判定し、ＡＶＯＩＤ通信システムがあれば、少なくともＡＶＯＩＤ通信システムでのＥＶＤＯによる発呼が可能か否かを確認し、可能であればＡＶＯＩＤ通信システムでのＥＶＤＯによる発呼を行い、１ｘによる発呼を行うように制御する制御部８のとしての中枢的な役割を有する。
【００２６】
このため、呼処理部８２は、呼制御部８２１と、通信システム選択機能部８２２と、通信システム捕捉機能部８２３と、ＭＲＵリストが保持されるＭＲＵテーブル８２４とにより構成される。ここで、「ＭＲＵ（Most Recently Used）リスト」とは、過去に捕捉した通信システムが時系列に保持される捕捉リストであり、ＭＲＵテーブル８２４には、最後（最新）に捕捉した通信システムが最上位に保持される。また、捕捉可能な通信システムであっても過去に捕捉していなければＭＲＵテーブル８２４には保持されない。なお、捕捉リストには他にＰＲＬがあり、ここで、「ＰＲＬ（Preferred Roaming List）」とは、捕捉可能な通信システムの優先順位を保持しているリストであり、携帯電話１０が捕捉可能な通信システムはすべてこのリストに定義されている。なお、このリストの最上位に位置する通信システム以外の通信システムを捕捉している場合、携帯電話は、定期的にその上位通信システムの捕捉を試みる。
【００２７】
呼処理部８２は、パケットアプリ実行部８１と、呼処理部８２とのインタフェースとして役割を担い、パケットアプリ実行部８１から発信要求を取得し、通信システム選択機能部８２２に対して捕捉すべき通信システムを問い合わせ、通信システム捕捉機能部８２３に対して通信システム選択機能部８２２により決定される通信システムによる通信システムの捕捉を要求する。呼処理部８２はまた、通信システム捕捉機能部８２３による通信システムの捕捉結果を取得して呼制御部８２１に対して捕捉成功、失敗を報知する。その他、通信部１との間で各種メッセージの交換を行う。
【００２８】
通信システム捕捉機能部８２３は、呼制御部８２１からの捕捉システム問い合わせに対してＭＲＵテーブル８２４に規定された通信システムリストを参照して捕捉する通信システムを決定し、その結果を呼制御部８２１に引き渡す。また、通信システム捕捉機能部８２３は、呼制御部８２１から通信システム捕捉要求を受付け、通信部１を制御して通信システム選択機能部８２２により決定される通信システムの捕捉試行を行なわせ、その結果（捕捉成功、捕捉失敗）を呼制御部８２１へ引き渡す。
【００２９】
図２は、本発明の実施の形態に係るハイブリッド通信端末装置のＥＶＤＯ通信システムがＡＶＯＩＤ中のデータ発信処理動作を示すフローチャートである。
以下、図２に示すフローチャートを参照しながら図１に示すハイブリッド通信端末装置のＥＶＤＯ通信システムＡＶＯＩＤ中のデータ発信時における動作について説明する。
【００３０】
制御部８は、所定時間内に所定回数連続してＥＶＤＯ通信システムによる発信失敗が生じると、ＡＶＯＩＤ状態に遷移する（ステップＳ２１）。
具体的には、図６のフローチャートに示されるように、呼処理部８２（呼制御部８２１）は、通信部１から、通信システム捕捉機能部８２３経由でＥＶＤＯ通信システムの捕捉失敗通知を受信すると（ステップＳ２１１）、当該捕捉失敗を契機に起動される内蔵のタイマＴ１が起動中か否かを判定し（ステップＳ２１２）、起動中でなければ（ステップＳ２１２“Ｎｏ”）、タイマＴ１を起動して（ステップＳ２１３）、捕捉の失敗が発生する毎に更新される内蔵のカウンタをゼロクリアする（ステップＳ２１６）。一方、タイマＴ１が起動中であれば、そのカウンタの値をチェックし（ステップＳ２１４）、Ｎ以上、例えば、“３”以上であれば、その通信システムの捕捉をＡＶＯＩＤ状態に設定し（ステップＳ２１５）。 “３”以内であれば、当該カウンタを＋１更新してそれぞれステップＳ２１１の処理に復帰する。
【００３１】
説明を図２へ戻し、上記したようにいくつかの通信システムについてのＥＶＤＯがＡＶＯＩＤされた状態にあって、パケットアプリ実行部８１を介して発信要求が発行された場合（ステップＳ２２）、これを取得した呼処理部８２（呼制御部８２１）は、まず、携帯電話１０がＥＶＤＯ圏外にいるか否かを判定する（ステップＳ２３）。ここでＥＶＤＯ圏外にいないと判定された場合（ステップＳ２３“Ｎｏ”）、他のＥＶＤＯ通信システムによる捕捉を試行する（ステップＳ２４）。ここまでは、図７に示した従来におけるＡＶＯＩＤ中におけるデータ発信処理と同様である。
一方、ＡＶＯＩＤが設定された通信システム以外の通信システムの全てがＥＶＤＯ圏外であった場合には（ステップＳ２３“Ｙｅｓ”）、呼制御部８２１は、通信システムがＡＶＯＩＤ状態に設定されていることを確認して（ステップＳ２５“Ｙｅｓ”）、先にＡＶＯＩＤ状態に設定された通信システムのＡＶＯＩＤ状態を解除してステップＳ２３以降の処理に復帰させる。
【００３２】
なお、通信システムがＡＶＯＩＤ状態に設定されていない場合は（ステップＳ２５“Ｙｅｓ”）、図７に示す従来例と同様、１ｘによる発呼を行う、このため、呼制御部８２１は、携帯電話１０が１ｘ圏外にいるか否かをチェックし（ステップＳ２７）、１ｘ圏外にいる場合には（ステップＳ２７“Ｙｅｓ”）、例えば、表示部に発信が失敗したことを通知する等、全圏外時の処理を（ステップＳ２８）、１ｘ圏内にいる場合には１ｘによる発信を行う（ステップＳ２９）。
以上説明のように、制御部８は、データ通信が開始され、ＥＶＤＯによる通信セッションが非確立状態（ＥＶＤＯ圏外）のとき、ＡＶＯＩＤ通信システムとして記憶された通信システムがあるか否かを判定し、ＡＶＯＩＤ通信システムがあれば、ＡＶＯＩＤ通信システムでのＥＶＤＯによる発呼が可能か否かを確認し、可能であればＡＶＯＩＤ通信システムでのＥＶＤＯによる発呼を行い、否であれば１ｘによる発呼を行う制御を実行する。
【００３３】
次に、発信要求（データ通信要求）時における通信システム選択機能部８２２での捕捉通信システムの決定の仕方について、図３に示すフローチャート、および図４に示す模式図を参照しながら詳細に説明する。
【００３４】
図３のフローチャートにおいて、通信システム選択機能部８２２は、まず、ＭＲＵテーブル８２４を参照してＭＲＵリストを最初から最後のエントリまで順次スキャンし（ステップＳ３０１）、この中からＡＶＯＩＤ状態に設定されている通信システム（ＥＶＤＯ５、３…）を検索する（ステップＳ３０２）。ここでＡＶＯＩＤ状態に設定されている通信システムが存在する場合（ステップＳ３０３“Ｙｅｓ”）、その通信システムを捕捉実施順番の空いている最上位に設定する（ステップＳ３０４）。この動作をＭＲＵリストの最下位エントリに設定された通信システムまで繰り返す（ステップＳ３０５）。
次に、ＭＲＵテーブル８２４に登録されていないＰＲＬの最初から最後までを参照し（ステップＳ３０６）、この中からＡＶＯＩＤ状態に設定されている通信システムを検索する（ステップＳ３０７）。ここでＡＶＯＩＤ状態に設定されている通信システムが存在する場合（ステップＳ３０８“Ｙｅｓ”）、その通信システムを捕捉実施順番の上位に設定する（ステップＳ３０９）。図４にその動作が模式的に示されており、ここでは、ＥＶＤＯ３が該当する。この動作をＭＲＵリストの最下位エントリに設定された通信システムまで繰り返す（ステップＳ３１０）。
【００３５】
次に、通信システム選択機能部８２２は、ＭＲＵテーブル８２４の中でＡＶＯＩＤされていた通信システム以外の通信システムを捕捉実施順番の空いている最上位位置に設定し（ステップＳ３１１）、ＰＲＬの中で、ＭＲＵテーブル８２４に設定されている通信テーブル、およびＡＶＯＩＤされていた通信システム以外の通信システムを捕捉実施順番の空いている上位位置に設定する（ステップＳ３１２）。
そして、決定された順番を、呼制御部８２１を介して通信システム捕捉機能部８２３に引渡し、通信システム捕捉機能部８２３は、その捕捉実施順番に沿って通信部１に捕捉試行を指示する（ステップＳ３１３）。
【００３６】
上記したように、ＡＶＯＩＤが解除された通信システムが複数存在する場合、通信システム選択機能部８２２は、捕捉すべき通信システムを決定するために、ＭＲＵテーブル８２４に設定されたＭＲＵリストにしたがう通信システムが選択される。ＡＶＯＩＤが解除された通信システムがＭＲＵリストにない場合は、ＭＲＵテーブル８２４に記憶されないＰＲＬリストの優先順位にしたがい決定する。通信システム捕捉機能部８２３は、通信システム選択機能部８２２により決定される通信システムを、呼制御部８２１を介して取得し、通信部１に対して捕捉試行を指示する。
【００３７】
また、通信システム選択機能部８２２は、所定時間（Ｔ２）時間以上前にＭＲＵリストに登録され、あるいは更新された通信システムに関しては、ＭＲＵリストに登録されていないものとして捕捉順序を決定する。ＭＲＵリストには設定されているが、長時間使用されていない通信システムに関してもその情報を削除することで発信処理を実行する通信システムの順番を最適に決定することができる。
【００３８】
図５は、本発明の実施の形態に係るハイブリッド通信端末装置にて使用されるＭＲＵリストの一例を示す図である。
図５（ａ）に既存のＭＲＵテーブル８２４を、図５（ｂ）に通信システム毎にその登録時刻を付加したＭＲＵテーブル８２４の一例を示す。すなわち、通信システム選択機能部８２２は、ＭＲＵテーブル８２４に通信システムを設定する毎に、同時にその時刻情報（時間）を設定する。図５中、ハッチングが施されたエントリに登録された通信システムは、上記したＴ２時間以上前に登録された通信システムで（ここではＥＶＤＯ０）、この後更新されていないため、捕捉できる可能性が低いものと認識され、ＭＲＵテーブル８２４には存在しないものとして扱う。
【００３９】
以上説明のように本発明の実施の形態に係るハイブリッド通信端末装置によれば以下に記述する効果を奏する。すなわち、通常、ＡＶＯＩＤ設定されていないＥＶＤＯ通信システムについては、所定の周期で捕捉して通信セッションを確立している動きになっている。そして、発信がなされた場合に通信セッションが確立されているか否かを判定し、セッションが確立されていない状態であれば「圏外」とみなして１ｘによる発信に切り替えている。
これに対し、本発明の実施の形態に係るハイブリッド通信システムによれば、上記のタイミングで実際にＥＶＤＯの通信システムによる発信が不可能であるか否かを判定する処理（発信要求時、ＡＶＯＩＤ状態を解除してＡＶＯＩＤ状態にあったＥＶＤＯによる捕捉を試行する）を追加することによりＥＶＤＯでの発信機会を増やした。その一方で、待ち受け中のセッション未確立状態におけるＥＶＤＯ通信システムの捕捉周期においては、ＡＶＯＩＤ解除のタイミング到来までは、ＡＶＤＯ通信システムを除外したＥＶＤＯ通信システムの捕捉を行うため、不要な電力消費を回避することは継続して行うことが出来る。また、ユーザからの発信要求時のみＥＶＤＯ通信システムのＡＶＯＩＤ状態を解除するため、待ち受け中の動作に変更は無く、したがって待ち受け時における１ｘの着信率は低下することがない。
【００４０】
ＭＲＵリスト（ＭＲＵテーブル８２４）に登録されていれば、少なくとも最近、その通信システムについては捕捉に成功しているため、ＡＶＯＩＤの履歴はあっても捕捉に成功する確率は高い。また、ＭＲＵリストの登録件数が少ない場合、ＭＲＵの更新が頻繁に行なわれると、実際には最近捕捉が成功したにもかかわらず、ＭＲＵリストから除外されてしまうことも考えられる。このような通信システムもかつては捕捉に成功しているため優先度を上げることで効率の良い発信処理が可能になる。
また、ＡＶＯＩＤされた通信システムがあるということは、ＥＶＤＯセッション再確立のための周期が到来していないだけであるとも考えられるため、ＡＶＯＩＤされた通信システムの捕捉試行に続き、ＡＶＯＩＤされていない通信システムの捕捉試行を行うことは有効である。逆に、ＭＲＵにとても古い捕捉履歴が残っていた場合には、捕捉に成功する可能性は低いためこれを参照しないほうが効率的である。
【００４１】
なお、上記した本発明の実施の形態によれば、ハイブリッド通信端末装置として携帯電話１０を例示したが、携帯電話１０に限らず、ＰＤＡ（Personal Digital Assistants）、やゲーム機等にも同様に適用が可能である。
また、本発明の実施の形態に係るハイブリッド通信端末装置が有する各構成ブロックの機能は、全てをソフトウェアによって実現しても、あるいはその少なくとも一部をハードウェアで実現してもよい。例えば、制御部８を構成する、パケットアプリ実行部８１、呼処理部８２（呼制御部８２１、通信システム選択機能部８２２、通信システム捕捉機能部８２３）におけるデータ処理は、１または複数のプログラムによりコンピュータ上で実現してもよく、また、その少なくとも一部をハードウェアで実現してもよい。また、このとき、ＭＲＵリストが保持されるＭＲＵテーブル８２４は、記憶部７に割り付けられ記憶される。
【図面の簡単な説明】
【００４２】
【図１】本発明の実施の形態に係るハイブリッド通信端末装置の内部構成を示すブロック図である。
【図２】本発明の実施の形態に係るハイブリッド通信端末装置のＥＶＤＯ通信システムＡＶＯＩＤ中のデータ発信処理動作を示すフローチャートである。
【図３】本発明の実施の形態に係るハイブリッド通信端末装置の発信要求時における捕捉通信システムの決定処理を示すローチャートである。
【図４】本発明の実施の形態に係るハイブリッド通信端末装置の発信要求時における捕捉通信システムの決定処理の模式図である。
【図５】本発明の実施の形態に係るハイブリッド通信端末装置で使用されるＭＲＵリスチの一例を示す図である。
【図６】本発明の実施の形態に係るハイブリッド通信端末装置のＡＶＯＩＤ設定処理の流れを示すフローチャートである。
【図７】従来におけるハイブリッド通信端末装置のＡＶＯＩＤ中のデータ発信処理動作を示すフローチャートである。
【符号の説明】
【００４３】
１…通信部、２…操作部、３…音声処理部、６…表示部、７…記憶部、８…制御部、１０…携帯電話、８１…パケットアプリ実行部、８２…呼処理部、８２１…呼制御部、８２２…通信システム選択機能部、８２３…通信システム捕捉機能部、８２４…ＭＲＵテーブル。
【図１】
2008252360.tif 000003
【図２】
2008252360.tif 000004
【図３】
2008252360.tif 000005
【図４】
2008252360.tif 000006
【図５】
2008252360.tif 000007
【図６】
2008252360.tif 000008
【図７】
2008252360.tif 000009